(57)【要約】【課題】  湧水に対する排水と断熱の２つの機能を備えた、より改良された断熱床構造を得る。【解決手段】  基礎コンクリー３の上に、底面に向かって複数の凹部１１、１１ａを有する非発泡の合成樹脂製シートからなる湧水排水マット１０を敷き詰める。その上に、湧水排水マット１０の少なくとも１つの凹部１１ａに連通する切り欠き２１を持つ発泡合成樹脂製断熱パネル２０を敷き詰める。その後、コンクリート４を打設する。コンクリート４は切り欠き２１で形成される連通孔２４を通過して脚用凹部１１ａに入り込み、そこで硬化して、脚としての機能を果たす。【選択図】  図４
2005155235.tif 000002
【特許請求の範囲】
【請求項１】
建物の基礎コンクリートと、該基礎コンクリートの上面に配置された底面に向かって複数の凹部を有する非発泡の合成樹脂製あるいは金属製シートからなる湧水排水マットと、該湧水排水マットの上面に配置された発泡合成樹脂製断熱パネルであって湧水排水マットの少なくとも１つの凹部に連通する切り欠きまたは穴を有する発泡合成樹脂製断熱パネルと、該発泡合成樹脂製断熱パネルの上に打設された床用コンクリートとを備え、該床用コンクリートの一部は発泡合成樹脂製断熱パネルに形成した切り欠きまたは穴を通して当該切り欠きまたは穴が連通する湧水排水マットの凹部に入り込んでいることを特徴とする湧水排水構造を備えた断熱床構造。
【請求項２】
発泡合成樹脂製断熱パネルに形成した切り欠きまたは穴が連通する湧水排水マットの凹部の容積は他の凹部の容積よりも大きくされていることを特徴とする請求項１に記載の湧水排水構造を備えた断熱床構造。
【請求項３】
建物の基礎コンクリートの上面は複数枚の湧水排水マットおよび複数枚の発泡合成樹脂製断熱パネルによって覆われており、湧水排水マット同士の接続目地部と発泡合成樹脂製断熱パネル同士の接続目地部は上下方向で同じ位置にならないようにしてそれぞれが配置されていることを特徴とする請求項１または２に記載の湧水排水構造を備えた断熱床構造。
【請求項４】
湧水排水マットは周囲に接合用の溝を有し、隣接する湧水排水マットは接合用の溝同士を係合させた状態で建物の基礎コンクリートの上面に配置されていることを特徴とする請求項３に記載の湧水排水構造を備えた断熱床構造。
【請求項５】
発泡合成樹脂製断熱パネルは周囲に接合用の係合部を有し、隣接する発泡合成樹脂製断熱パネルは接合用の係合部同士を接合させた状態で湧水排水マットの上面に配置されていることを特徴とする請求項４に記載の湧水排水構造を備えた断熱床構造。
【請求項６】
湧水排水マットが発泡合成樹脂製断熱パネルの裏面に面する部分には突起物が形成されており、該突起物が発泡合成樹脂製断熱パネルに入り込むことにより発泡合成樹脂製断熱パネルの位置決めがなされていることを特徴とする請求項１ないし５のいずれかに記載の湧水排水構造を備えた断熱床構造。
【発明の詳細な説明】
【技術分野】
【０００１】
本発明は湧水排水構造を備えた断熱床構造に関し、特に、建築物の地下室などのように竣工後に地中に位置することとなる建築物の内部に生じる湧水を排水するための構造を備えた断熱床構造に関する。
【背景技術】
【０００２】
建築物の地下室などのように竣工後に地中に位置することとなる建築物の内部には打設した基礎コンクリートを通してあるいは側壁のコンクリートを通して地下水などが湧き出るのを阻止することはできず、湧き出た水を排水するために、床構造を二重スラブ構造とすることが行われる。
【０００３】
特許文献１（特許第２７４３９６４号公報）には、基礎コンクリートの上面に底面に向かって複数の凹部を有する合成樹脂製パネルを配置し、その上にコンクリートを打設してコンクリート床構造とすることが提案されている。凹部に入り込んだコンクリートは支持脚としての機能を果たし、パネル裏面の支持脚間の空間は湧水の排水流路として機能する。この二重スラブ構造は湧水の排水には効果的に機能する。しかし、断熱性に欠けており、床構造に断熱性が求められる場合には、別途断熱のための施工を行う必要がある。
【０００４】
湧水の排水機能と断熱機能を併せ持つようにした二重スラブ構造として、図６に示すように、裏面に排水溝１を有する発泡合成樹脂製断熱パネル２を基礎コンクリート３の上に敷き詰め、その上にコンクリート４を打設するようにした二重スラブ構造が提案されている（特許文献２：特公昭６３−１６５３７号公報）。敷き詰めた発泡合成樹脂製断熱パネル２には一部に基礎コンクリート３の表面に連通する切り欠きまたは穴５が形成されており、打設したコンクリートはその切り欠きまたは穴内に入り込んで、重量を受ける脚６としての機能を果たす。この構造では、発泡合成樹脂製断熱パネル２が断熱層として機能することから、湧水の排水と床での断熱とが同時に達成される。
【０００５】
他の二重スラブ構造として、図７に示すものが提案されている（特許文献３：特開平６−２４８６５４号公報）。ここでは、裏面に排水溝１を有する発泡合成樹脂製断熱パネル２の表面側に底面に向かう凹陥部７を形成し、該凹陥部７に入り込んだ打設コンクリートが硬化して重量を受ける脚６として機能するようになっている。脚６としての機能を確実にするために、凹陥部７の内底面部分８は、他の部分よりも密度が高くされている。この構造では、凹陥部７は裏面に形成される排水流路に対して密閉されており、打設コンクリートのノロが排水流路に流れ込んで湧水の排水性を低下させるようなことは生じない。なお、図７において、９は配筋、９ａは背筋９を支持する支柱である。また、発泡合成樹脂製断熱パネル２の周囲には相互に係合する合決り嵌合部２ａ，２ｂが形成されており、接合目地部から打設したコンクリートのノロが排水流路に流れ込むのを防止している。
【特許文献１】特許第２７４３９６４号公報
【特許文献２】特公昭６３−１６５３７号公報
【特許文献３】特開平６−２４８６５４号公報
【発明の開示】
【発明が解決しようとする課題】
【０００６】
特許文献３に記載の湧水排水構造を備えた断熱床構造は、排水性と断熱性の双方の機能を満足することに加え、凹陥部７内のコンクリートが重量を受ける脚６として機能することから、極端な偏荷重や集中荷重が床面に生じた場合でも、発泡合成樹脂製断熱パネル２が変形して床面が歪んだりするのも確実に回避できる。しかし、１つの発泡合成樹脂製断熱パネルを発泡成形するに際して、凹陥部７の内底面部分８のみを他の部分よりも密度が高くなるように成形することは容易でなく、特殊な発泡成形技術を必要としている。
【０００７】
本発明は上記のような事情に鑑みてなされたものであり、湧水に対する排水と断熱の二つの機能を備えた床構造を特殊な発泡成形技術を利用することなく容易に構築できるようにした、より改良された湧水排水構造を備えた断熱床構造を提供することを目的とする。
【課題を解決するための手段】
【０００８】
本発明による湧水排水構造を備えた断熱床構造は、従来の二重スラブ構造のように発泡合成樹脂製断熱パネルの裏面に凹溝を形成して、発泡合成樹脂製断熱パネルに湧水排水機能と断熱機能の双方を同時に持たせるのではなく、湧水排水機能を司る部材と断熱機能を司る部材とを別の部材としたことに特徴がある。
【０００９】
すなわち、本発明による湧水排水構造を備えた断熱床構造は、建物の基礎コンクリートと、該基礎コンクリートの上面に配置された底面に向かって複数の凹部を有する非発泡の合成樹脂製または金属製シートからなる湧水排水マットと、該湧水排水マットの上面に配置された発泡合成樹脂製断熱パネルであって湧水排水マットの少なくとも１つの凹部に連通する切り欠きまたは穴を有する発泡合成樹脂製断熱パネルと、該発泡合成樹脂製断熱パネルの上に打設された床用コンクリートとを備え、該床用コンクリートの一部は発泡合成樹脂製断熱パネルに形成した切り欠きまたは穴を通して当該切り欠きまたは穴が連通する湧水排水マットの凹部に入り込んでいることを特徴とする。
【００１０】
本発明による断熱床構造において、構成部材である「湧水排水マット」は「底面に向かって複数の凹部を有する非発泡の合成樹脂製または金属製シート」であり、通常の非発泡の合成樹脂製シートを通常の成形手法（例えば真空成形）により、また通常の金属板をプレス成形などの成形方法により容易に製造することができる。また、「発泡合成樹脂製断熱パネル」は「湧水排水マットの少なくとも１つの凹部に連通する切り欠きまたは穴を有する発泡合成樹脂製断熱パネル」であり、通常の発泡成形手法（例えば、押出発泡成形または型内発泡成形）により容易に製造することができる。いずれも特殊な成形手法を必要としないので、構成部材の準備はきわめて容易である。
【００１１】
施工に当たって、建物の基礎コンクリートの上に湧水排水マットを敷き詰め、その上に発泡合成樹脂製断熱パネルを敷き詰める。その際に、発泡合成樹脂製断熱パネルに形成した切り欠きまたは穴が湧水排水マットの少なくとも１つの凹部に連通した状態となるようにして敷き詰める。その後、コンクリート床を構成するコンクリートを打設する。打設したコンクリートの一部は前記切り欠きまたは穴を通過して湧水排水マットの凹部に入り込み、そこを充満して硬化する。
【００１２】
湧水排水マットの凹部に入り込んで硬化したコンクリートは上からの荷重に対する支柱（脚）として有効に機能する。また、基礎コンクリート表面と湧水排水マットとの間には湧水排水マットの凹部を除いた領域に空間が形成されており、その空間は湧水の排水流路として効果的に機能する。また、発泡合成樹脂製断熱パネルは断熱材として効果的に機能する。湧水排水マットに形成した凹部は裏面の排水流路に対しては密閉されており、凹部に充満したコンクリートのノロが排水流路に流れ込むことはない。
【００１３】
打設したコンクリートが流入する凹部の数をいくつにするかは、予想される偏荷重あるいは集中荷重などを考慮して、適宜設定する。脚として機能することとなる凹部と他の凹部とは同じ形状あるいは同じ容積のものでもよいが、発泡合成樹脂製断熱パネルに形成した切り欠きまたは穴が連通する湧水排水マットの凹部の容積、すなわち、脚として機能することとなる凹部の容積を他の凹部の容積よりも大きくしておくことは、少ない本数の脚で全体として所要の耐荷重性能を得ることが可能となり、発泡合成樹脂製断熱パネルの形状をより簡素化する（湧水排水マットの凹部に連通する切り欠きまたは穴を少なくする）ことが可能となる。
【００１４】
より具体的には、湧水排水マットの材料としては、ポリプロピレンシート、硬質塩化ビニルシート、ポリスチレンシートなどが好ましい。亜鉛引き鋼板またはステンレス板のような金属板であってもよい。脚となる凹部の直径は数十ｃｍ好ましくは１０ｃｍ〜３０ｃｍ程度が好ましく、その他の凹部の直径はそれより小さくして上載荷重に耐えられる強度を持つようにするのが好ましい。好ましくは、１ｃｍ〜１５ｃｍ程度の直径である。発泡合成樹脂製断熱パネルの材料としては、ポリスチレン、ポリプロピレン、ポリエチレンの発泡体、発泡ウレタンなどが好ましい。湧水排水マットに形成する凹部の断面形状および発泡合成樹脂製断熱パネルに形成する切り欠きまたは穴の断面形状は、円、長円、多角形、など任意であり、特に制限はない。成形性からは円が好ましい。
【００１５】
床面積によっては、一枚の湧水排水マットと一枚の発泡合成樹脂製断熱パネルで基礎コンクリート上面を覆うことができる場合もある。しかし、通常の場合、建物の基礎コンクリートの上面は複数枚の湧水排水マットおよび複数枚の発泡合成樹脂製断熱パネルによって覆われる。その際に、湧水排水マット同士の接続目地部と発泡合成樹脂製断熱パネル同士の接続目地部は上下方向で同じ位置にならないようにしながら、それぞれを配置することはきわめて望ましい。このようにすることにより、打設したコンクリートのノロが湧水排水マット同士の接続目地部を通過して排水流路内に流れ込むのをぼぼ確実に阻止することができる。
【００１６】
湧水排水マットは周囲に接合用の溝を設け、隣接する湧水排水マットを該接合用の溝同士を係合させた状態で建物の基礎コンクリートの上面に配置することはさらに好ましい。それにより、基礎コンクリート面上での位置決めが容易となることに加え、打設したコンクリートのノロが接続目地部を通過して排水流路内に流れ込むのを一層確実に阻止することができる。さらに加えて、発泡合成樹脂製断熱パネルの周囲に接合用の係合部を設け、隣接する発泡合成樹脂製断熱パネルを該接合用の係合部同士を接合させた状態で、湧水排水マットの上面に配置することはさらに好ましい。この態様では、打設コンクリートのノロが発泡合成樹脂製断熱パネルの接続目地部を通過するのを阻止できるので、ノロが排水流路内に流れ込むのをほぼ完全に阻止することができる。
【００１７】
本発明において、湧水排水マットの上面側は平坦面であってもよく、発泡合成樹脂製断熱パネルの裏面に面する部分に適宜の突起物が形成されていてもよい。後者の場合には、該突起物が発泡合成樹脂製断熱パネルに入り込むことにより発泡合成樹脂製断熱パネルの位置決めがなされるので、施工の途中で不用意に発泡合成樹脂製断熱パネルが移動するのを阻止することができ、所期どおりの湧水排水構造を備えた断熱床構造を構築することが容易となる。
【発明の効果】
【００１８】
本発明によれば、湧水に対する排水と断熱の２つの機能を備えた、より改良された断熱床構造が得られる。特殊な成形技術を用いることなく必要な構成部材を得ることができ、施工コストも低減する。打設したコンクリートのノロが排水流路に入り込むことも大きく抑制でき、排水不良が生じることもない。結果として、長期にわたり安定した湧水排水機能と断熱機能を併せ備えた断熱床構造を得ることができる。
【発明を実施するための最良の形態】
【００１９】
以下、添付の図面を参照しつつ、実施例に基づき本発明をさらに詳細に説明する。図１は湧水排水マットの一例を示す斜視図であり、図２は発泡合成樹脂製断熱パネルの一例を示す斜視図である。図３はそれらを用いて構築した本発明による断熱床構造の一部を斜視図として示しており、図４はその一部を示す断面図である。また、図５は湧水排水マットの他の例を示している。
【００２０】
湧水排水マット１０は、この例では非発泡合成樹脂シートを真空成形したものであり、全体として４角形をなしている。表面側から底面側に向かって逆円錐状をなす多数の凹部１１が一体成形されており、その中で中央部に形成された凹部１１ａは他の凹部１１よりも直径が大きくされていて、脚用凹部１１ａとして用いられる。４周囲には凹溝１２が形成されており、湧水排水マット１０同士を隣接して配置するときに、互いの凹溝同士は係合した状態とされる。
【００２１】
発泡合成樹脂製断熱パネル２０は、この例ではポリスチレン樹脂を押出発泡成形した作ったものであり、上記した湧水排水マット１０の２枚分の平面積を有している。なお、平面積をどの程度とするかは任意であり、特に制限はない。図示の例で湧水排水マット１０の２枚分の大きさとしたのは、成形の容易性、配置作業の容易性と共に、後記するように、打設コンクリートのノロが排水流路に進入するのを効果的に阻止できることも考慮している。
【００２２】
平面視長方形である発泡合成樹脂製断熱パネル２０の４つのコーナー部には、湧水排水マット１０の中央部に形成した脚用凹部１１ａのほぼ１／４の大きさの切り欠き２１ａが形成されており、対向する２つの長辺の中央部には、脚用凹部１１ａのほぼ１／２の大きさの半円状の切り欠き２１ｂが形成されている。
【００２３】
施工に際し、基礎コンクリート３の上面に、４周囲の凹溝１２を互いに係合するようにして湧水排水マット１０を敷き詰める。敷き詰めた湧水排水マット１０の上に発泡合成樹脂製断熱パネル２０を配置する。その際に、図３によく示すように、湧水排水マット１０同士の接合目地部１４と発泡合成樹脂製断熱パネル２０同士の接合目地部２３とが、上下方向で同じ位置にならないようにして配置する。
【００２４】
図示の例では、発泡合成樹脂製断熱パネル２０の長辺の中央部に形成した半円状の切り欠き２１ｂがいずれかの湧水排水マット１０の脚用凹部１１ａの半分を覆うようにして、かつ、その長辺と短辺を湧水排水マット１０同士の接合目地部１４と平行となるようにして、各発泡合成樹脂製断熱パネル２０を配置していくことにより、互いの接合目地１４と２３とが上下方向に重ならない状態を容易に確保することができる。そして、相互に隣接している発泡合成樹脂製断熱パネル２０の接合目地部における湧水排水マット１０の脚用凹部１１ａに対向する位置には、連通孔２４が形成される。
【００２５】
発泡合成樹脂製断熱パネル２０を湧水排水マット１０の上に敷き詰めた後、図４に示すように、スペーサ３１を配置しながら床スラブ用配筋９を敷設する。そして、その上にコンクリート４を打設する。打設コンクリート４は発泡合成樹脂製断熱パネル２０上に広がって床スラブ４ａとなると共に、形成された連通孔２４を通って、各湧水排水マット１０の脚用凹部１１ａ内に入り込み、そこで硬化して上載荷重を支持するための脚６を形成する。そして、基礎コンクリート３と発泡合成樹脂製断熱パネル２０との間には、湧水排水マット１０の凹部１１、１１ａをスペーサとして、凹部の高さだけの空間が形成され、その空間が湧水の排水流路３３として効果的に機能する。また、発泡合成樹脂製断熱パネル２０により床の断熱性も確保される。
【００２６】
上記の湧水排水構造を備えた断熱床構造では、湧水排水マット１０同士の接合目地部１４と発泡合成樹脂製断熱パネル２０同士の接合目地部２３とは、上下方向で同じ位置となっていない。そのために、打設したコンクリートのノロが接合目地部２３を通して下方に流下したとしても、そのまま接合目地部１４を通過して基礎コンクリート面に到達することはなく、排水流路がコンクリートのノロで閉塞する事態は確実に阻止される。このことは、湧水排水マット１０同士の接合目地部１４が凹溝１２同士の係合となっていることからも、より確実なる。
【００２７】
図示しないが、図７に示した発泡合成樹脂製断熱パネル２での場合のように、発泡合成樹脂製断熱パネル２０の４周囲に係合用の合決り溝を形成することもできる。その場合には、打設したコンクリートのノロが接合目地部２３を通して下方に流下することを効果的に阻止できるので、排水流路がコンクリートのノロで閉塞する事態は一層確実に阻止される。
【００２８】
図５は湧水排水マットの他の例を示している。ここでは、この湧水排水マット１０ａは、その上面すなわち発泡合成樹脂製断熱パネル２０の裏面に面する部分に、突起物１５がが形成されていている点で、図１に示したものと相違している。この湧水排水マット１０ａを用いる場合には、湧水排水マット１０ａの上に発泡合成樹脂製断熱パネル２０を配置したときに、突起物１５が発泡合成樹脂製断熱パネル２０内に入り込むようになり、発泡合成樹脂製断熱パネル２０の位置決めが容易となる。そのために、施工の途中で不用意に発泡合成樹脂製断熱パネル２０が移動するのを阻止することができる利点がある。
【図面の簡単な説明】
【００２９】
【図１】図１ａは、湧水排水マットの一例を示す斜視図、図１ｂは、図１ａのｂ−ｂ線による断面図。
【図２】発泡合成樹脂製断熱パネルの一例を示す斜視図。
【図３】本発明による断熱床構造を説明するための斜視図。
【図４】本発明による断熱床構造の一部を示す断面図。
【図５】湧水排水マットの他の例を示す図であり、図５ａは斜視図、図５ｂは図５ａのｂ−ｂ線による断面図。
【図６】従来の湧水排水構造を備えた断熱床構造の一例を示す図。
【図７】従来の湧水排水構造を備えた断熱床構造の他の例を示す図。
【符号の説明】
【００３０】
３…基礎コンクリート、４…打設コンクリート、４ａ…床スラブ、６…コンクリートによる脚、９…床スラブ用配筋、１０…湧水排水マット、１１…凹部、１１ａ…脚用凹部、１２…凹溝、１５…突起物、２０…発泡合成樹脂製断熱パネル、２１ａ、２１ｂ…切り欠き、１４…湧水排水マット同士の接合目地部、２３…発泡合成樹脂製断熱パネル同士の接合目地部、２４…連通孔、３１…スペーサ、３３…湧水の排水流路
【図１】
2005155235.tif 000003
【図２】
2005155235.tif 000004
【図３】
2005155235.tif 000005
【図４】
2005155235.tif 000006
【図５】
2005155235.tif 000007
【図６】
2005155235.tif 000008
【図７】
2005155235.tif 000009